(57)【特許請求の範囲】
【請求項１】
情報が記録された光ディスクを回転させるターンテーブルと、
ガイド部材に沿って前記光ディスクの径方向に移動自在であり、該光ディスクに対して情報の読み取りや書き込みを行う光ピックアップと、
前記光ピックアップ、及び前記ターンテーブルを保持するための基板とを備え、
前記光ピックアップには、前記ガイド部材に該光ピックアップを押圧するための弾性部材が固定されているディスク装置において、
前記弾性部材は、衝撃を緩和するための緩衝体を有し、
前記緩衝体は、前記光ピックアップが前記ガイド部材に沿って前記光ディスクの径方向の最内周に移動したときに、前記基板の側壁に当接することを特徴とするディスク装置。
【請求項２】
前記弾性部材は、金属製であることを特徴とする請求項１に記載のディスク装置。
【請求項３】
前記緩衝体は、前記弾性部材と一体成形されていることを特徴とする請求項１又は請求項２に記載のディスク装置。
【発明の詳細な説明】
【技術分野】
【０００１】
本発明は、ディスク装置に関し、特に衝突緩和機能を有するディスク装置に関する。
【背景技術】
【０００２】
従来から、ＤＶＤ等の光ディスクに対して情報の読み取りや書き込みを行うディスク装置が知られている。この種の装置では、光ピックアップが、主軸と副軸に沿って、ターンテーブル上に搭載された光ディスクの径方向に往復移動することにより情報の読み書きを行う。また、この種の装置では、光ディスクの最内周部分に対して情報の読み書きを行うとき、光ピックアップが光ディスクの最内周部分に位置する必要がある。そのため、光ピックアップの位置を検出するための位置検出センサを設けているものが知られている。しかし、この種の装置では、位置検出センサを設けるため、製造コストが抑制できないという問題がある。
【０００３】
上記問題に対して、光ディスクの最内周部分に対して情報の読み書きを行うとき、光ピックアップを光ディスクの径方向の内方側に位置するシャーシに衝突させることにより、光ピックアップの移動を停止させるディスク装置が知られている。この種の装置では、位置検出センサを設ける必要がないため、製造コストを抑制することができる。しかし、光ピックアップがシャーシに衝突するとき、衝突音が発生するため、この衝突音がユーザにとって不快であるという問題がある。
【０００４】
これに対して、特許文献１には、光ピックアップと、締結保持部材の間に弾性体を介在させて取り付けることにより、衝撃音を軽減させることができるディスク装置が開示されている。しかし、この装置では、弾性体を設ける必要があるので部品点数が増加し、製造コストを抑制できないという問題がある。
【０００５】
また、特許文献２には、光ピックアップが移動した際の衝撃を緩和する樹脂製の緩衝片をシャーシに対して垂直に起立すると共に、この緩衝片がシャーシと一体成形されているディスク装置が開示されている。しかし、この装置では、緩衝片がシャーシと一体成形されているので、弾性力等の調整が困難であるという問題がある。また、緩衝片が樹脂製であるため経年劣化の影響を受けやすいという問題がある。
【０００６】
また、特許文献３乃至特許文献５には、シャーシを押圧するピックスプリングを光ピックアップに設けることにより、衝突音を軽減させることができるディスク装置が開示されている。しかし、これらの装置では、追加部材としてピックスプリングを設ける必要があるため、製造コストを抑制することができない。
【特許文献１】特開２００６−７３１４５号公報
【特許文献２】特開２００５−２６７７７５号公報
【特許文献３】特開２００１−３２５７７６号公報
【特許文献４】特開２００１−３１９４３６号公報
【特許文献５】特開２０００−２８５６１８号公報
【発明の開示】
【発明が解決しようとする課題】
【０００７】
本発明は、上述した問題点を解決するためになされたものであり、光ピックアップのシャーシとの衝突時の衝撃を緩和することができると共に製造コストを抑制することができるディスク装置を提供することを目的とする。
【課題を解決するための手段】
【０００８】
上記目的を達成するために請求項１の発明は、情報が記録された光ディスクを回転させるターンテーブルと、ガイド部材に沿って前記光ディスクの径方向に移動自在であり、該光ディスクに対して情報の読み取りや書き込みを行う光ピックアップと、前記光ピックアップ、及び前記ターンテーブルを保持するための基板とを備え、前記光ピックアップには、前記ガイド部材に該光ピックアップを押圧するための弾性部材が固定されているディスク装置において、前記弾性部材は、衝撃を緩和するための緩衝体を有し、前記緩衝体は、前記光ピックアップが前記ガイド部材に沿って前記光ディスクの径方向の最内周に移動したときに、前記基板の側壁に当接するものである。
【０００９】
請求項２の発明は、請求項１に記載のディスク装置において、前記弾性部材は、金属製であるものである。
【００１０】
請求項３の発明は、請求項１又は請求項２に記載のディスク装置において、前記緩衝体は、前記弾性部材と一体成形されているものである。
【発明の効果】
【００１１】
請求項１の発明によれば、緩衝体は、光ピックアップがガイド部材に沿って光ディスクの径方向の最内周に移動したときに、基板の側壁に当接するので、光ピックアップのシャーシとの衝突時の衝撃を緩和することができると共に、衝突音を軽減することができる。また、光ピックアップに固定された弾性部材が緩衝体を有しているため、弾性部材を光ピックアップに固定する前に、緩衝体の弾性力の調整等を容易に行うことができる。
【００１２】
請求項２の発明によれば、弾性部材は、金属製である。そのため、樹脂製のものと比べて経年劣化による弾性力の低下が少ない。
【００１３】
請求項３の発明によれば、緩衝体は、弾性部材と一体成形されている。そのため、部品点数が増加しないので、製造コストを抑制することができる。
【発明を実施するための最良の形態】
【００１４】
以下、本発明の一実施形態に係るディスク装置について、図１を参照して説明する。図１は、ディスク装置１の外観を示す。ディスク装置１は、筐体５の正面５ａに、光ディスク２を内部へ収納するための開口部４が設けられている。筐体５内部に収納された光ディスク２は、光ピックアップ３０（図２参照）によって情報の読み書きが行われる。光ディスク２は、ＤＶＤやＣＤ等の情報が記録された記録媒体である。
【００１５】
次に、筐体５内部に設けられたトラバースシャーシユニットについて、図２及び図３を参照して説明する。図２は、トラバースシャーシユニット１０の外観を示し、図３は、トラバースシャーシユニット１０の要部の拡大図である。トラバースシャーシユニット１０は、シャーシ（基板）１１と、光ディスク２に対して情報を読み書きする光ピックアップ３０と、光ディスク２を回転させるターンテーブル２０とを有する。
【００１６】
シャーシ１１は、回路基板（図示せず）、光ピックアップ３０、及びターンテーブル２０を保持している。シャーシ１１には、主軸１２及び副軸１３が平行に取り付けられ、光ピックアップ３０が主軸１２及び副軸１３を案内ガイドとして移動する。
【００１７】
ターンテーブル２０は、装着された光ディスク２を回転させるものであり、スピンドルモータ（図示せず）によって回転駆動される。
【００１８】
光ピックアップ３０は、主軸１２及び副軸１３に沿って、ターンテーブル２０に装着された光ディスク２の径方向に移動自在である。光ピックアップ３０の移動範囲は、光ディスク２の半径を越えることはない。光ピックアップ３０は、光ピックアップ駆動用モータ３４の回転駆動に連動して回転するギア３２、３３によって駆動される。
【００１９】
また、光ピックアップ３０は、レーザー光を照射して光ディスク２に対して情報の読み書きを行うためのレンズ３１と、光ピックアップ３０を副軸１３に係止するための係止部３５（図３参照）とを有する。光ピックアップ３０の裏面には、副軸１３側に光ピックアップ３０とシャーシ１１とのガタを除去するためのスプリング（弾性部材）４０が固定されている。
【００２０】
スプリング４０は、金属製であり、光ピックアップ３０を副軸１３方向に一方向に押圧することにより、光ピックアップ３０とシャーシ１１とのガタを除去している。スプリング４０の構成については後述する。
【００２１】
次に、スプリング４０の構成について、図４を参照して説明する。図４は、上記図３に示した図において、光ピックアップ３０と副軸１３周辺部とを除いたものである。スプリング４０は、衝突緩和スプリング４１と、押圧部４２とを有する。衝突緩和スプリング４１と押圧部４２は、スプリング４０と一体成形されており共に金属製である。
【００２２】
衝突緩和スプリング４１は、光ピックアップ３０が副軸１３に沿って、光ディスク２の径方向の最内周に移動したときに、シャーシ１１の側壁１１ａに当接することによって衝撃を緩和することができるものである。押圧部４２は、上述したように光ピックアップ３０（図３参照）を副軸１３（図３参照）に対して一方向に押圧させるものである。
【００２３】
次に、光ピックアップ３０が光ディスク２の最内周に移動する場合について説明する。光ディスク２の最内周に対して情報の読み書きを行うとき、光ピックアップ３０が主軸１２及び副軸１３に沿って、光ディスク２の径方向の最内周に移動する。光ピックアップ３０が光ディスク２の径方向の最内周に移動したとき、衝突緩和スプリング４１がシャーシ１１の側壁１１ａに当接する。そのため、光ピックアップ３０とシャーシ１１との衝突時の衝撃を緩和することができる。
【００２４】
上述したように、本実施形態に係るディスク装置１によれば、衝突緩和スプリング４１は、光ピックアップ３０が主軸１２及び副軸１３に沿って光ディスク２の径方向の最内周に移動したときに、シャーシ１１の側壁１１ａに当接するので、光ピックアップ３０とシャーシ１１との衝突時の衝撃を緩和することができると共に、衝突音を軽減することができる。
【００２５】
また、光ピックアップ３０に固定されたスプリング４０が衝突緩和スプリング４１を有しているため、スプリング４０を光ピックアップ３０に固定する前に、衝突緩和スプリング４１の弾性力の調整等を容易に行うことができる。
【００２６】
また、衝突緩和スプリング４１は金属製である。そのため、樹脂製のものと比べて経年劣化による弾性力の低下が少ない。
【００２７】
また、衝突緩和スプリング４１がスプリング４０と一体成形されているので、部品点数が増加しない。そのため、製造コストを抑制することができる。
【００２８】
なお、本発明は、上記実施形態の構成に限られず、発明の趣旨を変更しない範囲で種々の変形が可能である。例えば、上記実施形態では、光ピックアップ３０が、光ディスク２の径方向の最内周に移動する場合について説明したが、これに限られず、光ピックアップ３０が光ディスク２の径方向の最外周に移動する場合についても同様の構成とすることができる。
【図面の簡単な説明】
【００２９】
【図１】本発明の一実施形態に係るディスク装置の斜視図。
【図２】上記ディスク装置のトラバースシャーシユニットを示す斜視図。
【図３】上記トラバースシャーシユニットの要部拡大図。
【図４】上記トラバースシャーシユニットの要部拡大図。
【符号の説明】
【００３０】
１  ディスク装置
２  光ディスク
１０  トラバースシャーシユニット
１１  シャーシ（基板）
１２  主軸
１３  副軸
２０  ターンテーブル
３０  光ピックアップ
４０  スプリング（弾性部材）
４１  衝突緩和スプリング（緩衝体）
【図１】
0004946873.tif 000002
【図２】
0004946873.tif 000003
【図３】
0004946873.tif 000004
【図４】
0004946873.tif 000005